(57)【要約】【課題】  籤引きに関するもので、ＩＣタグ付属の籤引き媒体と該媒体を使用したシステムを提供するものである。【解決手段】籤引き媒体にＩＣタグのような情報記録媒体を付属させ、籤引き媒体を読取装置にて記録媒体に記録された情報を読み取る読取手段と、前記情報を記憶するための記憶手段と、前記記憶手段より情報を読み取り抽選を行い、当落もしくは抽選の判定を行う抽選判定手段と、前記判定結果を画面に表示させる抽選結果表示手段と、前記記憶手段より読み取った情報から該当する内容を画面表示させる読取情報表示手段と、前記記憶手段に格納された情報と画面表示させるためのデータが紐付けされたデータを保管するため画面表示データベースと電子メールアドレスを入力し、前記表示内容を電子メールにて送信する送信手段とを兼ね備えた籤引きシステムを提供する。【選択図】  図３
2005088277.tif 000002
【特許請求の範囲】
【請求項１】
籤引きに使用する媒体であって、該媒体に情報記録媒体を付属させ、該情報記録媒体には、メモリ部と送受信部からなるＩＣチップと、該ＩＣチップに接続されるアンテナ部より構成され、前記メモリ部には、籤引きの抽選判定となるための抽選識別情報と、抽選内容を表示するための画面表示識別情報を有することを特徴とした籤引き媒体。
【請求項２】
請求項１記載の籤引き媒体と、前記籤引き媒体から抽選判定となる抽選識別情報を読み取り可能な読み取り手段と、読み取った前記識別情報を記憶部に記憶させるための記憶手段と、前記記憶部に記憶された画面表示識別情報を、予め前記抽選識別情報と画面表示識別情報を関連付けたデータベースに格納された識別情報に一致させる抽選判定手段と、該抽選判定手段で得られた識別情報に対応した抽選内容を、画面に表示する抽選結果表示手段と、該抽選結果表示手段と同時もしくは前後に抽選情報を画面表示する抽選情報表示手段とを備えることを特徴とする籤引きシステム。
【請求項３】
請求項２記載の籤引きシステムであって、更に、電子メールアドレスを入力する入力手段と、入力された電子メールアドレスに前記画面表示した抽選情報を送信する送信手段とを備えることを特徴とする籤引きシステム。
【発明の詳細な説明】
【技術分野】
【０００１】
本発明は、籤引きに関するもので、ＩＣタグ付属の籤引き媒体と該媒体を使用したシステムを提供するものである。
【背景技術】
【０００２】
通常、籤引きは、箱の中に入っている複数の籤引き媒体から抽選として、１つもしくは２つ以上を選択し、結果、籤引きの当落もしくは抽選の是非を決定するものである。前記籤引き媒体とは、棒形状の媒体や紙媒体のなど様々な形状を有するものであり、抽選の結果が一目でわかるようにマークや文字を設けることで確認できるようになっている。
【０００３】
また、通常の籤引きは、籤引き媒体に当落もしくは抽選の判定となるマークや文字を設け、該籤引き媒体を引いた後、判定結果が確認できるようになっている。そのため、抽選を行う際は、通常、該籤引き媒体を入れるための器（以下、抽選箱と呼ぶ。）を設け、籤引き媒体の抽選を行う仕組みが施されている。
【０００４】
該籤引き媒体は抽選結果を即時に判断することが可能なため、抽選箱から籤引き媒体を引く際には、中身が見えないように抽選者の片手が入る程度の大きさの穴を開け、抽選者の手を介して中身の籤引き媒体を引く工夫や、抽選箱を逆さにし軽く振ることで、該籤引き媒体を引くなどの工夫を凝らしている。
また、前記籤引き媒体が紙媒体である時は、「１等」、「２等」もしくは「当たり」、「はずれ」のように印字されている場合が多く、三角くじのように、紙を折りたたむことで、中身の印字を隠蔽する工夫を行っている。
【０００５】
さらに、最近はクレジットカードとして使用するようなＩＣカードを使用した籤引きシステムも考案されている。
まず、ＩＣカードを読取装置にて読み取りを行う。読取装置は、個人情報照会用の端末装置と繋がっていて、該ＩＣカード内に格納された個人の識別データが読取られると、前記端末装置より、予め登録された個人の識別データとを照合し、本人確認を行う。照合の結果、本人であることが確認されると、籤引き番号が付与されるシステムとなっている（例えば、特許文献１参照。）。
【特許文献１】特開平７−２６２３２５号公報
【発明の開示】
【発明が解決しようとする課題】
【０００６】
しかしながら、従来の籤引きは、抽選箱に籤引き媒体を入れ、該籤引き媒体を引くまでに、抽選箱から見えない工夫を箱自体に施さなければならない。また、前記籤引き媒体にマークや文字を設ける際は、三角くじのように該籤引き媒体を折るなどの媒体の隠蔽を施すための工夫が必要であった。
抽選箱を逆さにして振って、該籤引き媒体を引く場合もあるが、逆さに振る場合は、該籤引き媒体を引き出す空間が狭まっているため、すぐに該籤引き媒体を引くことができない場合もあった。
【０００７】
さらに、クレジットカードとして使用するようなＩＣカードを使った籤引きシステムでは、中身に入っている個人情報を参照して照合するため、限られた抽選者にしか抽選の権限が付与されず、不特定多数を対象にした籤引きには適さないという欠点がある。
【０００８】
また、上述の籤引き方法は、籤引き媒体を取得し、マークや文字を設けた籤引き媒体を確認し、当落もしくは抽選の是非を行うだけにとどまってしまい、抽選者との繋がりが抽選を行った時点で途絶えてしまう傾向にあった。
【０００９】
そこで本発明は、籤引き時に、籤引き媒体にＩＣタグを付属させ、読取手段にて読み取りを行うことで、画面表示部によって抽選結果を表示し、さらにＩＣタグで呼び出された抽選情報を表示させるものである。そして抽選者の必要に応じて、画面表示部と繋がれた入力部よりメールアドレスを入力し、該抽選情報を電子メールにて送信するシステムを提供するものである。
【課題を解決するための手段】
【００１０】
上記の課題を解決するために、本発明の第１の態様は、前記籤引き媒体にＩＣタグ（情報記録媒体）が付属されたことを特徴とするものである。また、該ＩＣタグの中には、読取装置にて読み取り、表示装置にて表示させるために必要な情報が記録されている。
該ＩＣタグは、ＲＦＩＤ（Ｒａｄｉｏ  Ｆｒｅｑｕｅｎｃｙ  ＩＤｅｎｔｉｆｉｃａｔｉｏｎ）タグとも呼ばれ、無線通信を利用するアンテナと読取装置にて読み取り可能なＩＣチップを内臓することを特徴とした情報記録媒体のことをいう。
【００１１】
また、本発明の第２の態様は、前述の籤引き媒体を読取装置にて記録媒体に記録された情報を読み取る読取手段と、前記情報を記憶するための記憶手段と、前記記憶手段より情報を読み取り抽選を行い、当落もしくは抽選の判定を行う抽選判定手段と、前記判定結果を画面に表示させる抽選結果表示手段と、前記記憶手段より読み取った情報から該当する内容を画面表示させる読取情報表示手段と、前記記憶手段に格納された情報と画面表示させるためのデータが紐付けされたデータを保管するため画面表示データベースとを兼ね備えた籤引きシステムである。
【００１２】
本発明の第３の態様は、上述の第２の態様に係る籤引きシステムにおいて、前記表示部に電子メールアドレスの記入部が設けられ、入力手段にて電子メールアドレスを入力し、前記表示内容を電子メールにて送信する送信手段とを兼ね備えた籤引きシステムである。
【発明の効果】
【００１３】
本発明による籤引きシステムによれば、以下の効果が可能となった。
（１）籤引き媒体に当落もしくは抽選の判定となるマークや文字を設けた際、予め抽選の結果が分からないように抽選箱に工夫をする、もしくは該籤引き媒体自身に隠蔽性を持たせるために紙を折るなどの工夫をしていた。しかし本発明では、該籤引き媒体に情報記録媒体を付属させ、該情報記録媒体の中に籤引き結果の情報を書き込むことで、外部からは即座に確認することができない状態となっているため、抽選箱もしくは、籤引き媒体に工夫を凝らす必要性がなくなった。
（２）籤引きの抽選結果後に抽選情報を提供し、電子メールにて該抽選情報を送付可能とすることで、籤引きだけの行為にとどまらず、抽選内容等の抽選情報を配信することができる。
（３）ＩＣカードのような個人情報を参照することで、籤引きの権限が付与されることがなく、不特定多数を対象にした籤引きシステムを提供することができる。
【発明を実施するための最良の形態】
【００１４】
以下、本発明を図示する実施例に基づいて説明する。
図１は、本発明の籤引き媒体について説明するための図である。
【００１５】
図１に示される情報記録媒体１２は、主としてＩＣタグを使用する。該情報記録媒体１２はメモリ部１２１と送受信部１２２からなるＩＣチップ１２４、および該ＩＣチップ１２４に接続されるアンテナ部１２３から構成されたものである。
読取手段２１に前記情報記録媒体１２を近づけると、該情報記録媒体１２のアンテナ部１２３が送受信部１２２に受信され、メモリ部１２１に格納された情報を読取り、送受信部１２２がアンテナ部１２３へ送信し、アンテナ部１２３より情報が送信される。
読取手段２１には前記情報記録媒体１２と同様にアンテナ部が備え付けられており、該情報記録媒体１２から読取った情報を読取手段２１にて読取ることが可能となる。
【００１６】
まず、抽選箱から１つもしくは複数抽選されて取得した籤引き媒体１１を説明するが、以下では、そのうちの一つの籤引き媒体１１について説明をする。
【００１７】
前記籤引き媒体１１には、前記情報記録媒体１２が付属され、該情報記録媒体１２のメモリ部１２１内には、抽選結果を判定させるためのデータもしくは抽選情報データが格納されている。詳しくは、該メモリ部１２１のデータ内容は、籤引きの判定を結びつけるためのデータ、もしくは籤引きが１等、２等、３等などの等級に分かれている際の等級と結びつけるためのデータ、占いや運勢などの複数の判定結果を表示させるために結びつけたデータなどが格納されている。さらには抽選情報と結びつけるデータも格納されている。
【００１８】
図２は、前記籤引き媒体を使用した、本発明の基本構成となる籤引きシステムのブロック図である。
【００１９】
籤引きシステム２は、情報記録媒体１２付属の籤引き媒体１１、読取手段２１、記憶手段２２、抽選判定手段２３、画面表示データベース２６、抽選結果表示手段２４、抽選情報表示手段２５から構成されたシステムである。
【００２０】
前記取得した籤引き媒体１１を読取手段２１にて読み取りを行うと、該読取手段２１は、籤引き媒体１１に付属の前記情報記録媒体１２に格納された読取データを取得する。該読取データは、該籤引き媒体１１において、各々異なった識別番号もしくは識別記号を有した抽選識別情報（以下、識別ＩＤと呼ぶ。）を兼ね備えており、画面表示データベース２６に格納された各々異なった画面表示識別番号もしくは画面表示識別記号を有した画面表示識別情報（以下、画面表示識別ＩＤと呼ぶ。）とが連動した仕組みとなっている。
【００２１】
図４は、前記情報記録媒体１２内に格納された識別ＩＤと前記画面表示データベース２６内に格納された画面表示識別ＩＤのデータ構成となる。情報記録媒体１２内に格納されたデータには、少なくとも２つの識別情報である識別ＩＤ４６１、識別ＩＤ４６２を有しており、それぞれ前記画面表示データベース２６にて管理されている画面表示識別ＩＤと対応している。識別ＩＤ４６１は抽選データテーブル４４における画面表示識別ＩＤ４４１に対応し、識別ＩＤ４６２と抽選情報データテーブル４５における画面表示識別ＩＤ４５１とが対応している。
さらに、前記テーブル内容は該画面表示識別ＩＤと画面表示用の内容が一対一の対応となるようなデータ構成となっている。例えば、画面表示識別ＩＤ４４１は「１等」、「２等」もしくは「当たり」、「はずれ」等の抽選結果の内容、画面表示識別ＩＤ４５１は、「本日の運勢情報」、もしくは「当選結果情報」といった抽選内容として一対一に対応している。識別ＩＤ４６１と画面表示識別ＩＤ４４１、識別ＩＤ４６２と画面表示識別ＩＤ４５１を連動させることで、該情報記録媒体１２に格納された識別ＩＤを元に、画面表示データベース２６と一致した画面表示識別ＩＤの抽選情報を取得し、画面表示させることとなる。
【００２２】
また、前記読取データは記憶部２２に格納されるので抽選判定手段２３は記憶部に格納された識別ＩＤ４６１、４６２を抽出し、画面表示データベース２６から抽出した前記画面表示識別ＩＤ４４１、４５１と照合させ、該画面表示識別ＩＤ４４１、４５１と該当した画面表示内容４４２、４５２を表示することとなる。
【００２３】
占いもしくは運勢を籤引きシステムとして行った場合を例にとって説明する。例えば画面表示データベース２６は、図４のようなデータ構造で構成されており、占いの場合において、「大吉」、「中吉」、「小吉」の３種類の結果が存在し、籤引き媒体１１の情報記録媒体１２に「大吉」に相当する識別ＩＤ４６１が格納され、さらに抽選情報として、「本日の運勢情報」を提供するための識別ＩＤ４６２が格納されていたとすると、読取手段２１にて該識別ＩＤ４６１が読み取られ、記憶部２２に格納される。抽選判定手段２３は記憶部２２より格納された識別ＩＤ４６１を画面表示データベース２６の画面表示ＩＤ４４１と照合する。
【００２４】
前記識別ＩＤ４６１が画面表示ＩＤ４４１と一致した場合、抽選判定手段２３は、一致した画面表示データベース２の画面表示ＩＤ４４１の内容である「大吉」を取得し、抽選結果表示手段２４にて画面表示内容である「大吉」画面を表示させる。
【００２５】
抽選結果表示手段２４によって、抽選結果が画面表示された後、抽選内容を表示させる抽選情報表示手段２５にて画面表示を行う。前記情報記録媒体１２には識別ＩＤ４６１だけでなく、抽選情報を表示させるための識別ＩＤ４６２も格納されている。そのため、前記抽選判定手段２２と同様に、抽選情報表示手段２５は記憶部２２から取得した識別ＩＤ４６２を画面表示データベース２６の画面表示ＩＤ４５１と照合し、図４に示される画面表示ＩＤ４５１に対応した内容、例えば前述に挙げた「本日の運勢情報」が表示される。抽選情報表示手段２５は、抽選結果表示手段２４と同時に表示してもよく、また抽選結果表示手段２４を行う前に抽選情報の表示を行ってもよい。また、抽選情報は、占いもしくは運勢に限ったものでなく、旅行情報や飲食店情報など、広告、宣伝となるものを表示してもよい。
【００２６】
図３は、本発明の籤引きシステム２の概要を示すブロック図であり、抽選情報表示手段２５は電子メールアドレスを入力するキーボードのような入力部を設けた入力手段２７と送信部を設けた送信手段２８にて構成されている。
【００２７】
前記抽選情報表示手段２５にて表示された販促情報は、抽選者の必要に応じて、画面表示部と繋がれた入力部よりメールアドレスを入力し、該抽選情報を電子メールにて送信することが可能である。図５に示す画面表示部５１は、少なくとも抽選情報部５２、一つもしくは複数のメールアドレス記入部５３と送信部５５とから構成された画面表示であり、抽選情報部５２には、前述の「本日の運勢情報」が表示される。該抽選情報を必要とする際は、宛先となるメールアドレスに入力部５４を使って入力し、送信部５５にて送信を行う。入力部５４は、画面表示部５１と繋がった入力手段で入力を行うか、画面表示部５１に入力部５４が設けられ、該入力部５４を画面表示部５１上に設けて入力を行うことも可能である。
【００２８】
読取手段２１、記憶手段２２、抽選判定手段２３、抽選結果表示手段２４、抽選情報表示手段２５、画面表示データベース２６、入力手段２７、送信手段２８は、実際には、図６のようなコンピュータシステム６１として実現されるものであり、ハードウェアの観点からみると、リーダー等の読取装置６２、情報を記憶する記憶装置６５、情報処理演算を行う演算処理装置６４、抽選結果等を表示するディスプレイなどの表示装置６６、コンピュータに指示を与えるキーボードなどの入力装置６３で構成されている。
【００２９】
以上、本発明を実施の形態に基づいて詳細に説明してきたが、本発明による籤引きシステムは、上述の実施の形態に何ら限定されるものではなく、本発明の趣旨を逸脱しない範囲において種々の変更が可能なことは当然のことである。
【図面の簡単な説明】
【００３０】
【図１】本発明に係る籤引き媒体の基本構成図である。
【図２】本発明に係る籤引きシステムのブロック図である。
【図３】本発明に係る籤引きシステムの入力手段と送信手段を含んだブロック図である。
【図４】本発明に係る籤引きシステムの情報記録媒体に記録されたデータ構造と画面表示データベースのデータ構造を示す模式図である。
【図５】本発明に係る籤引きシステムの表示画面内容を示した図である。
【図６】本発明の籤引きシステムに係る装置の構成を示すブロック図である。
【符号の説明】
【００３１】
１１    籤引き媒体
１２    情報記録媒体
１２１  籤引きシステム
１２２  送受信部
１２３  アンテナ部
１２４  ＩＣチップ
１２５  帳票設計手段
２      籤引きシステム
２１    読取手段
２２    記憶手段
２３    抽選表示手段
２４    抽選結果表示手段
２５    抽選情報表示手段
２６    画面表示データベース
２７    入力手段
２８    送信手段
４４    抽選データテーブル
４４１  抽選データ画面表示識別ＩＤ
４４２  抽選データ画面表示内容
４５    抽選情報データテーブル
４５１  抽選情報データ画面表示識別ＩＤ
４５２  抽選情報データ画面表示内容
４６    情報記録媒体データ
４６１  抽選データ識別ＩＤ
４６２  抽選情報データ識別ＩＤ
５１    画面表示部
５２    抽選情報部
５３    メールアドレス記入部
５４    入力部
５５    送信部
６１    コンピュータシステム
６２    読取装置
６３    入力装置
６４    演算処理装置
６５    記憶装置
６６    画面表示装置
【図１】
2005088277.tif 000003
【図２】
2005088277.tif 000004
【図３】
2005088277.tif 000005
【図４】
2005088277.tif 000006
【図５】
2005088277.tif 000007
【図６】
2005088277.tif 000008